(57)【特許請求の範囲】
【請求項１】
ガラスの縁部を内嵌して支持する断面コの字状の幅広のガラス支持部とサッシュのガラス嵌入用溝に嵌入自在な断面コの字状の幅狭の嵌入部とが、そのコの字状の嵌入部の開口側を前記コの字状のガラス支持部の底部に対して開口部を介して両内側空間どうしが連通するように一体化され、かつ、その端部が斜めに切断されて、その斜めに切断された切断面どうしを接当させて留め継ぎし、その留め継ぎ箇所の一方側から他方側へタッピンねじを螺合して額縁状に組立てるべく、前記タッピンねじを螺合するためのねじ切り部が、前記嵌入部の両側壁から内側空間に突出する状態で設けられているガラス用補助サッシュであって、
前記ねじ切り部が、前記タッピンねじの中心軸周りに４分割されて、前記嵌入部の両側壁に２つずつ設けられ、その４分割されたねじ切り部の角部に前記タッピンねじが螺合するように構成されるとともに、
前記開口部側に位置する一対の開口側ねじ切り部、および、前記開口部から遠ざかる側に位置する一対の奥側ねじ切り部が、それぞれ先端部に平坦面を有し、その平坦面を、平行する二辺のうちの短辺とする台形状の補強構造に構成され、前記一対の開口側ねじ切り部の角部の為す角度が、前記一対の奥側ねじ切り部の角部の為す角度よりも大きく設定してあるガラス用補助サッシュ。
【発明の詳細な説明】
【０００１】
【発明の属する技術分野】
本発明は、ガラスの縁部を内嵌して支持する断面コの字状の幅広のガラス支持部とサッシュのガラス嵌入用溝に嵌入自在な断面コの字状の幅狭の嵌入部とが、そのコの字状の嵌入部の開口側を前記コの字状のガラス支持部の底部に対して開口部を介して両内側空間どうしが連通するように一体化され、かつ、その端部が斜めに切断されて、その斜めに切断された切断面どうしを接当させて留め継ぎし、その留め継ぎ箇所の一方側から他方側へタッピンねじを螺合して額縁状に組立てるべく、前記タッピンねじを螺合するためのねじ切り部が、前記嵌入部の両側壁から内側空間に突出する状態で設けられているガラス用補助サッシュに関する。
【０００２】
【従来の技術】
このようなガラス用補助サッシュは、例えば、通常の板ガラスを取り付けるためのサッシュに対して、その板ガラスよりも厚みのある複層ガラスを取り付けるために補助的に使用されるもので、従来、特開平９−４９３７３号公報に開示のものなどが知られている。
【０００３】
この公報に開示の補助サッシュ２０は、図５および図６に示すように、複層ガラスＧの縁部を内嵌して支持する断面コの字状の幅広のガラス支持部２と図外のサッシュ側に嵌入自在な断面コの字状の幅狭の嵌入部３とが、開口部４を介して内側空間どうしを連通するように一体化されて構成され、タッピンねじ１５を螺合するためのねじ切り部２１が、嵌入部３の両側壁３ａ，３ｂに一つずつ互いに対向する状態で設けられている。
そして、両ねじ切り部２１の対向面が、タッピンねじ１５の外周に沿うように部分円周面に構成されており、そのため、各ねじ切り部２１の前記開口部４側には、必然的に先鋭先端部２１ａが、また、嵌入部３の底壁３ｃ側にも、先鋭先端部２１ｂが形成されている。
【０００４】
【発明が解決しようとする課題】
ところで、このような補助サッシュ２０は、図５に示すように、端部を４５度の角度で斜めに切断して、その斜めに切断した切断面どうしを互いに接当させて接合する、いわゆる、「留め継ぎ」と称される接合方法により組立てるため、一方の補助サッシュ２０側からタッピンねじ１５を挿入して、他方の補助サッシュ２０のねじ切り部２１に螺合させる際、タッピンねじ１５の締付けに伴って両切断面の間で滑りが生じ、矢印で示すように、一方の補助サッシュ２０が他方の補助サッシュ２０に対して相対移動しようとする。
【０００５】
ところが、上述した従来の補助サッシュ２０では、各ねじ切り部２１に先鋭先端部２１ａ，２１ｂが形成されているので、特に、各ねじ切り部２１の前記開口部４側に先鋭先端部２１ａが形成されているので、矢印で示した相対移動によって、図６の（ロ）に示すように、その先鋭先端部２１ａが損傷あるいは破損し、図５に示すように、両補助サッシュ２０の間にずれが生じて、所望通りの額縁状に組立てることができなくなる虞があった。
【０００６】
それに加えて、両ねじ切り部２１の対向面が、タッピンねじ１５の外周に沿うように部分円周面に構成されているので、タッピンねじ１５の螺合によりタッピンねじ１５自体によってねじ切りするべき面の面積が大きくなり、タッピンねじ１５の螺合に大きな力を要するとともに、タッピンねじ１５によるねじ切りが所望通りに行かない場合には、タッピンねじ１５が嵌入部３の両側壁３ａ，３ｂを両側に広げ、それに連なるガラス支持部２も両側に広がって、複層ガラスＧの内嵌支持にも支障をきたす虞があった。
【０００７】
本発明は、このような従来の問題点に着目したもので、その目的は、タッピンねじの螺合を比較的小さい力で容易に行うことができ、かつ、タッピンねじの締付けに伴う両補助サッシュ間での滑りを確実に阻止して、所望通りの額縁状に組立てることのできる補助サッシュの提供にある。
【０００８】
【課題を解決するための手段】
〔構成〕
請求項１の発明の特徴構成は、図１〜図４に例示するごとく、ガラスＧの縁部を内嵌して支持する断面コの字状の幅広のガラス支持部２とサッシュＳのガラス嵌入用溝８に嵌入自在な断面コの字状の幅狭の嵌入部３とが、そのコの字状の嵌入部３の開口側を前記コの字状のガラス支持部２の底部に対して開口部４を介して両内側空間どうしが連通するように一体化され、かつ、その端部が斜めに切断されて、その斜めに切断された切断面どうしを接当させて留め継ぎし、その留め継ぎ箇所の一方側から他方側へタッピンねじ１５を螺合して額縁状に組立てるべく、前記タッピンねじ１５を螺合するためのねじ切り部１２，１３が、前記嵌入部３の両側壁３ａ，３ｂから内側空間に突出する状態で設けられているガラス用補助サッシュ１であって、前記ねじ切り部１２，１３が、前記タッピンねじ１５の中心軸Ｌ周りに４分割されて、前記嵌入部３の両側壁３ａ，３ｂに２つずつ設けられ、その４分割されたねじ切り部１２，１３の角部に前記タッピンねじ１５が螺合するように構成されるとともに、前記開口部４側に位置する一対の開口側ねじ切り部１２、および、前記開口部４から遠ざかる側に位置する一対の奥側ねじ切り部１３が、それぞれ先端部に平坦面１２ａ，１３ａを有し、その平坦面１２ａ，１３ａを、平行する二辺のうちの短辺とする台形状の補強構造に構成され、前記一対の開口側ねじ切り部１２の角部の為す角度が、前記一対の奥側ねじ切り部１３の角部の為す角度よりも大きく設定してあるところにある。
【０００９】
【００１０】
【００１１】
【００１２】
なお、上述のように、図面との対照を便利にするために符号を記したが、該記入により本発明は添付図面の構成に限定されるものではない。
【００１３】
〔作用及び効果〕
請求項１の発明の特徴構成によれば、タッピンねじを螺合するためのねじ切り部が、タッピンねじの中心軸周りに４分割されて、嵌入部の両側壁に２つずつ設けられ、その４分割されたねじ切り部の角部に前記タッピンねじが螺合するように構成されているので、タッピンねじの螺合を比較的小さな力で容易に行うことができ、それによって嵌入部の両側壁の広がり、つまり、ガラス支持部が不測に広がってガラスの内嵌支持に支障をきたすことを防止することができる。
そして、４分割されたねじ切り部のうち、ガラス支持部への開口部側に位置する一対の開口側ねじ切り部が、その先端部に平坦面を有する補強構造に構成されているので、タッピンねじの締付けによる開口側ねじ切り部の損傷あるいは破損を防止し、タッピンねじの締付けに伴う両補助サッシュ間での滑りを確実に阻止して、補助サッシュを所望通りの額縁状に組立てることができる。
【００１４】
また、一対の開口側ねじ切り部が、その先端部の平坦面を、平行する二辺のうちの短辺とする台形状に構成されているので、開口側ねじ切り部は、嵌入部の側壁側ほど強固な補強構造となり、開口側ねじ切り部の損傷あるいは破損をより効果的に防止することができる。
【００１５】
また、前記開口部から遠ざかる側に位置する一対の奥側ねじ切り部が、その先端部に平坦面を有する補強構造に構成されているので、タッピンねじを螺合する際、タッピンねじの先端側による奥側ねじ切り部の損傷あるいは破損も防止され、その結果、タッピンねじの締付けに伴う両補助サッシュ間での滑りを一層確実に阻止することができる。
【００１６】
また、一対の奥側ねじ切り部が、その先端部の平坦面を、平行する二辺のうちの短辺とする台形状に構成されているので、奥側ねじ切り部は、嵌入部の側壁側ほど強固な補強構造となり、奥側ねじ切り部の損傷あるいは破損をより効果的に防止することができる。
【００１７】
【発明の実施の形態】
本発明によるガラス用補助サッシュの実施の形態を図面に基づいて説明する。
この補助サッシュは、例えば、通常の板ガラスを取り付けるためのサッシュに対して、その板ガラスよりも厚みのある複層ガラスを取り付けるために補助的に使用されるもので、図１〜図３に示すように、補助サッシュ１は、例えば全体がアルミ製で、複層ガラスＧの縁部を内嵌して支持するガラス支持部２と、通常の板ガラスを取り付けるためのサッシュＳ側に嵌入自在な嵌入部３とを一体的に備えた長尺体で構成されている。
【００１８】
その補助サッシュ１の長手方向に直交する方向での断面視において、図２および図３に示すように、前記ガラス支持部２は、比較的厚みの厚い複層ガラスＧの縁部を内嵌できるように、断面形状が広幅のほぼコの字状に構成され、かつ、嵌入部３も、断面形状がほぼコの字状に構成されて、そのコの字状の幅が、ガラス支持部２の幅よりも幅狭に構成されている。
そのコの字状に構成された嵌入部３の開口側が、コの字状に構成されたガラス支持部２の底部対して外側から連設されたような形状に構成され、嵌入部３とガラス支持部２の内部空間どうしが、開口部４を介して互いに連通するように一体化されている。
【００１９】
前記複層ガラスＧは、２枚の板ガラス５が厚み方向に並設され、かつ、両板ガラス５の間にスペーサ６を介在させて構成され、両板ガラス５とスペーサ６との間には、ブチルゴム製の一次シールが介在され、かつ、シリコン系やポリサルファイド系の接着剤による二次シールも施され、更に、スペーサ６内には、乾燥剤が充填されていて、両板ガラス５間の密閉空間に通じる連通孔を介して、その密閉空間内の気体を乾燥させて結露の発生を防止するように構成されている。
そして、このような複層ガラスＧの縁部を内嵌支持するため、ガラス支持部２の内面には、前記開口部４を除いて、緩衝作用のある塩化ビニル製の支持部材７がほぼ全面にわたって取り付けられている。
【００２０】
前記サッシュＳは、例えばアルミ製で、断面形状がほぼＨ状に構成されて、通常の板ガラスに適した開口幅を有するガラス嵌入用溝８を備え、かつ、そのガラス嵌入用溝８を中央にして互いに対向する一対の縁部９も備えている。
このようなガラス嵌入用溝８に対して補助サッシュ１の嵌入部３を嵌入して保持させるため、嵌入部３の両側部には、例えば塩化ビニルにより形成されて適当な可撓性を有する係合部材１０が取り付けられ、その係合部材１０には、嵌入部３をガラス嵌入溝８に嵌入した状態でガラス嵌入溝８の縁部９に係止される係止突起１１などが設けられている。
【００２１】
このような長尺状の補助サッシュ１は、図１に示すように、複層ガラスＧの四辺の縁部長さに対応するように切断し、その切断した４本の補助サッシュ１を額縁状に組立てて使用するもので、そのため、額縁状に組立てるためのねじ切り部１２，１３が、嵌入部３の両側壁３ａ，３ｂから内側空間に突出する状態で一体的に突設されている。
詳述すると、補助サッシュ１は、その切断面が補助サッシュ１の長手方向に対してほぼ４５度の角度を有するように斜めに切断され、図４に示すように、その４５度の角度を有する切断面どうしを接当させて「留め継ぎ」、つまり、切断面が露出しないように接合するように構成されている。
そして、その留め継ぎ状態において、一方の補助サッシュ１における嵌入部３の底壁３ｃにねじ挿通孔１４を穿設し、そのねじ挿通孔１４にタッピンねじ１５、つまり、ねじ自体によってねじ切りのできるねじ１５を挿通して、他方の補助サッシュ１における嵌入部３の内側空間に位置するねじ切り部１２，１３に螺合するように構成されている。
【００２２】
前記ねじ切り部１２，１３は、補助サッシュ１の長手方向に直交する方向での断面視において、図２に示すように、タッピンねじ１５の中心軸Ｌ周りに４分割されて、嵌入部３の両側壁３ａ，３ｂに２つずつ設けられている。つまり、ガラス支持部２への開口部４側に位置する左右一対の開口側ねじ切り部１２と、開口部４から遠ざかる側に位置する左右一対の奥側ねじ切り部１３との合計４つのねじ切り部１２，１３で構成されている。
開口側ねじ切り部１２は、嵌入部３の側壁３ａ，３ｂとほぼ平行な平坦面１２ａと、その平坦面１２ａの一端部からガラス支持部２への開口部４側に向かって急な傾斜の急傾斜面１２ｂ、ならびに、平坦面１２ａの他端部から第２ねじ切り部１３側に向かって緩やかな傾斜の緩傾斜面１２ｃとを備えて、先端部に位置する平坦面１２ａを、平行する二辺のうちの短辺とする台形状の補強構造に構成されている。
【００２３】
奥側ねじ切り部１３も、嵌入部３の側壁３ａ，３ｂとほぼ平行な平坦面１３ａと、その平坦面１３ａの一端部から第１ねじ切り部１２側に向かって急な傾斜の急傾斜面１３ｂ、ならびに、平坦面１３ａの他端部から嵌入部３の底部側に向かって緩やかな傾斜の緩傾斜面１２ｃとを備えて、先端部に位置する平坦面１３ａを、平行する二辺のうちの短辺とする台形状の補強構造に構成されている。
そして、開口側ねじ切り部１２と奥側ねじ切り部１３の間には、凹入部１６が設けられ、これらねじ切り部１２，１３にタッピンねじ１５を螺合させても、タッピンねじ１５は、合計４つのねじ切り部１２，１３の角部、つまり、２つの第１ねじ切り部１２における平坦面１２ａと緩傾斜面１２ｃとの角部、ならびに、第２ねじ切り部１３における平坦面１３ａと急傾斜面１３ｂとの角部に螺合するだけで、凹入部１６の底部にまで達しないように構成されている。
【００２４】
つぎに、この補助サッシュ１を用いて、複層ガラスＧをサッシュＳに保持させる手順ならびに作用について説明する。
まず、長尺状の補助サッシュ１を複層ガラスＧの四辺の縁部長さに対応するように、かつ、その切断面が、補助サッシュ１の長手方向に対してほぼ４５度になるように斜めに切断する。
このように斜めに切断した合計４本の補助サッシュ１において、各ガラス支持部２を複層ガラスＧの縁部に順次外嵌しながら、図４に示すように、隣接する補助サッシュ１どうしを留め継ぎにし、一方の補助サッシュ１における嵌入部３の底壁３ｃにねじ挿通孔１４を穿設するとともに、そのねじ挿通孔１４にタッピンねじ１５を挿通し、他方の補助サッシュ１のねじ切り部１２，１３に螺合させて額縁状に組立てる。
【００２５】
タッピンねじ１５によるねじ切り部１２，１３への螺合に際しては、タッピンねじ１５が、その中心軸Ｌの周りに位置する合計４つのねじ切り部１２，１３の角部に螺合するだけであるから、比較的小さな力で容易に螺合させることができ、しかも、両ねじ切り部１２，１３共、平坦面１２ａ，１３ａを備えた台形状の補強構造であるため、タッピンねじ１５の螺合によって損傷したり、破損したりすることはない。特に、開口側ねじ切り部１２が台形状の補強構造であるから、タッピンねじ１５を必要以上に螺合して、図４の（ロ）において一点鎖線の矢印で示すように、ほぼ４５度に切断した補助サッシュ１の切断面の間で滑りが生じようとしても、その滑りの発生が確実に阻止され、４本の補助サッシュ１を確実に矩形の額縁状に組立てることができる。
【００２６】
このようにして、補助サッシュ１を複層ガラスＧの縁部に沿って額縁状に組立てた後、補助サッシュ１の嵌入部３をサッシュＳのガラス嵌入用溝８に嵌入するのであり、ガラス嵌入用溝８に嵌入した状態では、図３の（ロ）に示すように、係合部材１０が、ガラス嵌入用溝８に係合するとともに、その係止突起１１が、ガラス嵌入用溝８の縁部９の外側面に接当し、複層ガラスＧは、補助サッシュ１と介してサッシュＳに確実に保持される。
【００２７】
〔別実施形態〕
（１）先の実施形態では、開口側ねじ切り部１２を平坦面１２ａを備えた台形状の補強構造に構成した例を示したが、平坦面１２ａを備えた矩形の補強構造に構成することもでき、同様に、奥側ねじ切り部１３においても、平坦面１３ａを備えた矩形の補強構造に構成することもできる。
ただし、奥側ねじ切り部１３においては、タッピンねじ１５の螺合に起因する作用力が、開口側ねじ切り部１２に比べて小さいので、奥側ねじ切り部１３については、必ずしも補強構造に構成する必要はない。
【００２８】
（２）先の実施形態では、長尺状の補助サッシュ１を複層ガラスＧの四辺の縁部長さに対応するように斜めに切断し、その後、額縁状に組立てる構成のものを示したが、複層ガラスＧの四辺の縁部長さに対応するように、予め斜めに切断した状態で製造される補助サッシュにも適用することができる。
【００２９】
（３）先の実施形態では、補助サッシュ１のガラス支持部２により支持されるガラスとして、複層ガラスＧを例に説明したが、ガラス支持部２により支持されるガラスは、複層ガラスに限るものではなく、真空ガラスや合わせガラスなど、厚みの厚い各種のガラスに適用することができる。
【図面の簡単な説明】
【図１】  ガラス用補助サッシュを額縁状に組立てた状態を示す一部切欠き斜視図
【図２】  ガラス用補助サッシュの断面図
【図３】  ガラス用補助サッシュとサッシュの断面図
【図４】  ガラス用補助サッシュの組立て過程を示す要部の断面図
【図５】  従来のガラス用補助サッシュの組立て過程を示す要部の一部切欠き断面図
【図６】  従来のガラス用補助サッシュの要部の断面図
【符号の説明】
１          補助サッシュ
２          ガラス支持部
３          嵌入部
３ａ，３ｂ  嵌入部の側壁
４          開口部
８          ガラス嵌入用溝
１２        開口側ねじ切り部
１２ａ      開口側ねじ切り部の平坦面
１３        奥側ねじ切り部
１３ａ      奥側ねじ切り部の平坦面
１５        タッピンねじ
Ｇ          ガラス
Ｌ          タッピンねじの中心軸
Ｓ          サッシュ
【図１】
0004643813.tif 000002
【図２】
0004643813.tif 000003
【図３】
0004643813.tif 000004
【図４】
0004643813.tif 000005
【図５】
0004643813.tif 000006
【図６】
0004643813.tif 000007